(57)【要約】【課題】  コストの大幅な増大を招くことなく、偏向ヨークを真空容器に固定するための固定バンドからの放電を抑制する。【解決手段】  真空容器２０の内面の一部には導電膜２６が塗布されている。真空容器２０の外周面上に搭載された偏向ヨーク６０は、偏向ヨーク６０のネック部２３側端近傍において導電性材料からなる固定バンド６７を用いて真空容器２０に固定されている。管軸方向において、導電膜２６のネック部２３側端２６ｒは、固定バンド６７のパネル部２１側端６７ｆに対して、パネル部２１側に位置している。【選択図】  図１
2006338931.tif 000002
【特許請求の範囲】
【請求項１】
蛍光体が塗布されてなるスクリーンを内面に備えるパネル部と、ネック部と、前記パネル部と前記ネック部との間に配置され、前記パネル部側を大径側、前記ネック部側を小径側とする略漏斗状のファンネル部とからなる真空容器、
前記ネック部及び前記ファンネル部の内面の一部に塗布された導電膜、
前記ネック部内に内蔵され、複数の電子ビームを放出する電子銃、
管軸方向には前記ファンネル部と前記ネック部との接合部近傍に配置され、前記真空容器の外周面上に搭載され、前記電子銃から放出された前記複数の電子ビームを水平方向及び垂直方向に偏向させる偏向ヨーク、
前記偏向ヨークの前記ネック部側端近傍において前記偏向ヨークを前記真空容器に固定するための導電性材料からなる固定バンド、及び、
管軸方向には前記偏向ヨークに対して前記ネック部側に配置され、前記偏向ヨークとは別個の固定手段により前記ネック部の外周面上に固定された、少なくとも４極磁界及び６極磁界をそれぞれ発生する複数のマグネットを備えたカラー陰極線管装置であって、
管軸方向において、前記導電膜の前記ネック部側端は、前記固定バンドの前記パネル部側端に対して、前記パネル部側に位置していることを特徴とするカラー陰極線管装置。
【発明の詳細な説明】
【技術分野】
【０００１】
本発明は、カラー陰極線管装置に関する。
【背景技術】
【０００２】
図４は一般的なカラー陰極線管装置１の一例の概略構成を示した図である。図４では、管軸（以下、「Ｚ軸」という）より上側に断面図を、下側に外観図をそれぞれ示している。図４に示したカラー陰極線管装置１は、カラー陰極線管２、偏向ヨーク６０、マグネットユニット７０、および走査速度変調コイル８０等からなる。
【０００３】
図５は、従来のカラー陰極線管装置の一例の、偏向ヨーク６０及び電子銃３０周辺の構成を示した断面図である。
【０００４】
図４及び図５を用いて従来のカラー陰極線管装置を説明する。
【０００５】
カラー陰極線管２は、パネル部２１と、ネック部２３と、これらの間に配置され、パネル部２１側を大径側、ネック部２３側を小径側とする略漏斗状のファンネル部２２とからなる真空容器２０を備える。パネル部２１の内面には、赤、緑、青の各蛍光体がドット状又はストライプ状に規則正しく塗布されてなるスクリーン２４が形成されている。シャドウマスク２５がスクリーン２４に対して略一定間隔だけ離間して、パネル部２１の内壁面に固定されている。シャドウマスク２５には多数の電子ビーム通過孔が設けられている。
【０００６】
ネック部２３内には、赤、緑、青の３色に対応した３電子ビーム３８を放出する電子銃３０が内蔵されている。電子銃３０は、３つの陰極と、Ｚ軸方向に配置された複数の電極と、パネル部２１に最も近い位置に配置されたシールドカップ３１とを備える。シールドカップ３１には、複数のセンタリングスプリング３２が片持ち支持されている。
【０００７】
ネック部２３及びファンネル部２２の内面の一部には、導電膜２６が塗布形成されている。導電膜２６は、ファンネル部２２に設けられたアノードボタン２８と、電子銃３０のシールドカップ３１に保持されたセンタリングスプリング３２とを電気的に接続している。これにより、管外から、アノードボタン２８、導電膜２６、センタリングスプリング３２を順に介して、電子銃３０に高電圧（アノード電圧という）が供給される。
【０００８】
Ｚ軸方向にはファンネル部２２とネック部２３との接合部２７の近傍であって、真空容器２０の外周面上には偏向ヨーク６０が搭載されている。偏向ヨーク６０は、サドル型の水平偏向コイル６２と、フェライトコア６３に巻回されたトロイダル型の垂直偏向コイル６４とを備えている。電子銃３０から射出された３本の電子ビーム３８は、水平偏向コイル６２が発する水平偏向磁界及び垂直偏向コイル６４が発する垂直偏向磁界により水平方向及び垂直方向に偏向され、スクリーン２４上をラスタースキャン方式で走査する。水平偏向コイル６２と垂直偏向コイル６４との間には、樹脂材料からなる絶縁枠６５が設けられている。絶縁枠６５は、水平偏向コイル６２と垂直偏向コイル６４との間の電気的な絶縁状態を維持すると共に、両偏向コイル６２，６４を支持する役割を果たしている。偏向ヨーク６０は、絶縁枠６５のネック部２３側端近傍において、絶縁枠６５の外周面に装着された導電性材料（例えば金属材料）からなる固定バンド６７により、真空容器２０に固定されている。固定バンド６７は、例えば短冊状の金属板を略Ω字状に形成した部材と、この両端を締め付けるボルトとから構成されている。Ｚ軸方向において水平偏向コイル６２よりもネック部２３側の位置に、垂直偏向磁界を補助するための補助コイル６６が絶縁枠６５に取り付けられている。
【０００９】
マグネットユニット７０は、ネック部２３の外周面上に、電子銃３０とＺ軸方向において重複する位置に設けられており、電子ビーム３８の静コンバーゼンス調整を行なう。マグネットユニット７０は、４極磁界を発生する一対の円環状磁石からなる４極磁石７１と、６極磁界を発生する一対の円環状磁石からなる６極磁石７２とを少なくとも備える。４極磁石７１及び６極磁石７２は、円筒形状の樹脂枠７５の外周面上に装着されている。樹脂枠７５はネック部２３上に外挿され、固定バンド７７によりネック部２３に固定されている。
【００１０】
走査速度変調コイル８０は、Ｚ軸を含む水平方向面を挟んで、樹脂枠７５の外周面上に巻装された一対のループコイルからなる。走査速度変調コイル８０は、垂直方向の磁界を発生して電子ビームの水平走査速度を変調することにより画像の輪郭強調を行なう。
【００１１】
以上のカラー陰極線管装置において、偏向ヨーク６０の固定バンド６７と真空容器２０内の導電膜２６とのＺ軸方向における相対的位置関係を以下に説明する。説明の便宜のために、Ｚ軸方向において、パネル部２１側を「前側」、ネック部２３側を「後側」と呼ぶことにする。
【００１２】
従来は、導電膜２６のネック部２３側端（即ち、後端）２６ｒは、固定バンド６７のパネル部２１側端（即ち、前端）６７ｆよりも、Ｚ軸方向において、ネック部２３側（即ち、後側）に位置している。即ち、Ｚ軸方向において、導電膜２６は、ファンネル部２２側から、固定バンド６７よりも更に後側にまで延設されている。これは、以下の理由による。Ｚ軸方向において、電子銃３０と偏向ヨーク６０が発する偏向磁界とが接近していると、電子ビーム３８がスクリーン２４上に形成するスポットのフォーカス特性が劣化する。従って、電子銃３０は、偏向ヨーク６０から離して配置する必要がある。よって、電子銃３０にアノード電圧を供給する導電膜２６は、固定バンド６７よりも後側にまで延設される必要がある。
【００１３】
ところが、導電膜２６に高電圧であるアノード電圧が印加されると、アノード電圧の印加時に、導電膜２６を取り囲む導電性材料からなる固定バンド６７に瞬間的に電荷が誘起される。固定バンド６７に発生する誘起電圧が高いと、この近傍に配置された補助コイル６６との間で放電が生じ、これに接続された偏向回路が破壊される場合がある。あるいは、走査速度変調コイル８０との間で放電が生じ、これに接続された走査速度変調回路が破壊される場合がある。
【００１４】
この放電を防止するために、従来は、固定バンド６７に導線を取りつけアースに接続したり、固定バンド６７の材質として樹脂などの絶縁材料を用いることにより誘起電圧を抑制したり、補助コイル６６や走査速度変調コイル８０を絶縁体で覆ったり（例えば特許文献１参照）する対策が講じられていた。
【特許文献１】特開平６−１０３９２５号公報
【発明の開示】
【発明が解決しようとする課題】
【００１５】
しかしながら、上記の対策はいずれもコストを増大させ、近年の低価格競争に対応するには問題となっていた。
【００１６】
本発明は、コストの大幅な増大を招くことなく、固定バンド６７からの放電が生じにくいカラー陰極線管装置を提供することを目的とする。
【課題を解決するための手段】
【００１７】
本発明に係るカラー陰極線管装置は、
蛍光体が塗布されてなるスクリーンを内面に備えるパネル部と、ネック部と、前記パネル部と前記ネック部との間に配置され、前記パネル部側を大径側、前記ネック部側を小径側とする略漏斗状のファンネル部とからなる真空容器、
前記ネック部及び前記ファンネル部の内面の一部に塗布された導電膜、
前記ネック部内に内蔵され、複数の電子ビームを放出する電子銃、
管軸方向には前記ファンネル部と前記ネック部との接合部近傍に配置され、前記真空容器の外周面上に搭載され、前記電子銃から放出された前記複数の電子ビームを水平方向及び垂直方向に偏向させる偏向ヨーク、
前記偏向ヨークの前記ネック部側端近傍において前記偏向ヨークを前記真空容器に固定するための導電性材料からなる固定バンド、及び、
管軸方向には前記偏向ヨークに対して前記ネック部側に配置され、前記偏向ヨークとは別個の固定手段により前記ネック部の外周面上に固定された、少なくとも４極磁界及び６極磁界をそれぞれ発生する複数のマグネットを備える。
【００１８】
そして、管軸方向において、前記導電膜の前記ネック部側端は、前記固定バンドの前記パネル部側端に対して、前記パネル部側に位置していることを特徴とする。
【発明の効果】
【００１９】
本発明によれば、偏向ヨークの固定バンドに誘起される電圧が低減されるので、固定バンドからの放電を安価に抑制できる。よって、低価格で安全なカラー陰極線管装置を提供できる。
【発明を実施するための最良の形態】
【００２０】
本発明のカラー陰極線管装置の構成は、真空容器２０の内面に形成される導電膜２６の後端（ネック部側端）２６ｒと、偏向ヨーク６０を真空容器２０に固定するための固定バンド３７の前端（パネル部側端）６７ｆとの管軸方向における相対的位置関係を除いて特に制限はなく、例えば図４と同様の構成を有していても良い。従って、重複する説明を省略し、本発明の特徴的構成を以下に説明する。
【００２１】
図１は、本発明の一実施形態に係るカラー陰極線管装置の、偏向ヨーク６０及び電子銃３０周辺の構成を示した断面図である。図５と同じ構成部材には同じ符号を付して、それらについての説明を省略する。
【００２２】
図１に示した実施形態では、導電膜２６のネック部２３側端（即ち、後端）２６ｒが、固定バンド６７のパネル部２１側端（即ち、前端）６７ｆよりも、Ｚ軸方向において、パネル部２１側（即ち、前側）に位置している点で、図５と異なる。この結果、図１では、図５と比較して、偏向ヨーク６０から電子銃３０までの距離が縮小され、電子銃３０が実質的に前側に移動されている。
【００２３】
導電膜２６の後端２６ｒと固定バンド６７の前端６７ｆとのＺ軸方向における相対的位置関係と、アノード電圧印加時に固定バンド６７に誘起される電圧との関係を実験により求めた。結果を図２に示す。この実験では固定バンド６７のＺ軸方向の寸法は８ｍｍとした。図２において、横軸は、固定バンド６７の前端６７ｆのＺ軸方向の位置を、導電膜２６の後端２６ｒの位置を原点（Ｚ＝０ｍｍ）として示している。後側（ネック部２３側）をＺ軸の正の側としている。
【００２４】
図２より、固定バンド６７に誘起される電圧は、従来のように固定バンド６７及び導電膜２６の各Ｚ軸方向位置が互いに重複する「固定バンド位置（ｂ）」の場合には約１０ｋＶであるのに対して、本発明のように固定バンド６７及び導電膜２６の各Ｚ軸方向位置が互いに重複しない「固定バンド位置（ａ）」の場合には約６ｋＶであり、約半分に低下することが分かる。一般に、固定バンド６７と補助コイル６６や走査速度変調コイル８０との間隔は７ｍｍ程度以上は確保出来るため、固定バンド６７に６ｋＶ程度以下の電圧が誘起されても放電の発生を回避できる。
【００２５】
次に、導電膜２６の後端２６ｒと固定バンド６７の前端６７ｆとのＺ軸方向における相対的位置関係と、アノード電圧印加時に固定バンド６７と補助コイル６６との間の放電が発生する確率との関係を実験により求めた。結果を図３に示す。図２の場合と同様に、固定バンド６７のＺ軸方向の寸法は８ｍｍとした。図３において、横軸は、図２と同様に、固定バンド６７の前端６７ｆのＺ軸方向の位置を、導電膜２６の後端２６ｒの位置を原点（Ｚ＝０ｍｍ）として示している。後側（ネック部２３側）をＺ軸の正の側としている。縦軸は、３０ｋＶのアノード電圧の印加のＯＮ／ＯＦＦ動作を繰り返し行い、アノード電圧の印加ＯＮの回数に対する固定バンド６７と補助コイル６６との間の放電発生回数の割合を示す。固定バンド６７と補助コイル６６との間の最短距離は７．０ｍｍとした。
【００２６】
図３より、固定バンド６７と補助コイル６６との間の放電確率は、従来のように固定バンド６７及び導電膜２６の各Ｚ軸方向位置が互いに重複する「固定バンド位置（ｂ）」の場合には約５％であるのに対して、本発明のように固定バンド６７及び導電膜２６の各Ｚ軸方向位置が互いに重複しない「固定バンド位置（ａ）」の場合には約０％に低下することが分かる。従って、本発明によれば、固定バンド６７からの放電の発生を抑制することができる。
【００２７】
なお、本発明では、従来（図５参照）に比べて、電子銃３０が偏向ヨーク６０に接近するので、フォーカス特性の劣化が懸念される。しかしながら、この問題は、シールドカップ３１のＺ軸方向寸法を変更したり、電子銃３０を構成する電極として磁性材料を採用したりするなどの対策で解決可能である。また、この対策に要するコストは、従来の放電防止対策に要するコストに比べれば、少額である。
【００２８】
上記の実施形態や実験結果は一例であって、本発明はこれらに限定されない。例えば、図２に示した誘起電圧の値や図３に示した放電確率の値は、陰極線管装置のサイズや各種仕様、実験条件などにより変化する。また、固定バンド６７のＺ軸方向寸法は、上記の実験では８ｍｍとしたが、これに限定されない。一般には、７〜８ｍｍである。
【産業上の利用可能性】
【００２９】
本発明の利用分野は特に限定されず、テレビ受像機やコンピュータディスプレイ等に広範囲に利用できる。
【図面の簡単な説明】
【００３０】
【図１】本発明の一実施形態に係るカラー陰極線管装置の、偏向ヨーク及び電子銃周辺の構成を示した断面図である。
【図２】導電膜のネック部側端（後端）と偏向ヨークを固定するための固定バンドのパネル部側端（前端）との管軸方向における相対的位置関係と、固定バンドの誘起電圧との関係を調べた実験結果を示した図である。
【図３】導電膜のネック部側端（後端）と偏向ヨークを固定するための固定バンドのパネル部側端（前端）との管軸方向における相対的位置関係と、固定バンドからの放電確率との関係を調べた実験結果を示した図である。
【図４】一般的なカラー陰極線管装置の一例の概略構成を示した半断面側面図である。
【図５】従来のカラー陰極線管装置の一例の、偏向ヨーク及び電子銃周辺の構成を示した断面図である。
【符号の説明】
【００３１】
１  カラー陰極線管装置
２  カラー陰極線管
２０  真空容器
２１  パネル部
２２  ファンネル部
２３  ネック部
２４  スクリーン
２５  シャドウマスク
２６  導電膜
２７  ファンネル部とネック部との接合部
２８  アノードボタン
３０  電子銃
３１  シールドカップ
３２  センタリングスプリング
３８  電子ビーム
６０  偏向ヨーク
６２  水平偏向コイル
６４  垂直偏向コイル
６３  フェライトコア
６５  絶縁枠
６６  補助コイル
６７  固定バンド
７０  マグネットユニット
７１  ４極磁石
７２  ６極磁石
７５  樹脂枠
７７  固定バンド
８０  走査速度変調コイル
【図１】
2006338931.tif 000003
【図２】
2006338931.tif 000004
【図３】
2006338931.tif 000005
【図４】
2006338931.tif 000006
【図５】
2006338931.tif 000007